(57)【要約】【課題】省エネルギーに寄与しながら店舗内空気の除湿空調を行うことができる除湿空調システムを提供する。【解決手段】除湿空調システム１は、ショーケース２が設置される店舗内の空気を除湿空調するものであって、低温再生型の除湿ロータ２６から構成され、この除湿ロータ２６を回転させることにより、処理領域において水分を吸着し、再生領域において当該吸着した水分を放出する回転式除湿装置２４と、ショーケース２の冷媒回路の高圧側冷媒が流れる再生用凝縮器９とを備え、店舗内の空気を回転式除湿装置２４の処理領域に通過させた後、店舗内に戻すと共に、再生用の空気を再生用凝縮器９及び回転式除湿装置２４の再生領域に順次通過させて排出する。【選択図】図１
2005233528.tif 000002
【特許請求の範囲】
【請求項１】
ショーケースが設置される店舗内の空気を除湿空調するシステムであって、
低温再生型の除湿ロータから構成され、該除湿ロータを回転させることにより、処理領域において水分を吸着し、再生領域において当該吸着した水分を放出する回転式除湿装置と、前記ショーケースの冷媒回路の高圧側冷媒が流れる再生用凝縮器とを備え、
前記店舗内の空気を前記回転式除湿装置の処理領域に通過させた後、店舗内に戻すと共に、
再生用の空気を前記再生用凝縮器及び前記回転式除湿装置の再生領域に順次通過させて排出することを特徴とする除湿空調システム。
【請求項２】
前記回転式除湿装置の処理領域に通過させる前記店舗内の空気を冷却する冷却器を設けたことを特徴とする請求項１の除湿空調システム。
【請求項３】
前記ショーケースの冷媒回路によって冷却される氷蓄熱装置を備え、該氷蓄熱装置において冷却されたブラインによって前記冷媒回路の減圧装置に流入する高圧側冷媒を過冷却すると共に、前記ブラインを前記冷却器に供給することを特徴とする請求項２の除湿空調システム。
【請求項４】
前記氷蓄熱装置の解氷能力が所定値以下に低下した場合、前記冷却器へのブラインの供給を停止することを特徴とする請求項３の除湿空調システム。
【請求項５】
前記ショーケースの冷媒回路の高圧側冷媒が流れる暖房用凝縮器と、該暖房用凝縮器への冷媒の流通を制御する流路制御装置とを備え、
前記回転式除湿装置の処理領域を通過した後の空気は、前記暖房用凝縮器を通過した後、店舗内に戻ることを特徴とする請求項１、請求項２、請求項３又は請求項４の除湿空調システム。
【請求項６】
前記流路制御装置は、冷媒を前記再生用凝縮器に流すか、前記暖房用凝縮器に流すかを切り替える三方弁であることを特徴とする請求項５の除湿空調システム。
【発明の詳細な説明】
【技術分野】
【０００１】
本発明は、ショーケースが設置される店舗内の空気を除湿空調するためのシステムに関するものである。
【背景技術】
【０００２】
従来よりスーパーマーケットなどの店舗内には商品を冷却しながら陳列販売するためのショーケースが複数台設置されている。このショーケースとしては、商品の陳列効果や取り出し易さを考慮したオープンショーケースが一般的に用いられるものであるが、係るオープンショーケースでは店舗内の湿気を含んだ空気の流入によって冷却器への着霜量が増大するため、除霜運転中における商品の鮮度維持が問題となっていた。
【０００３】
そこで、従来より空気中の水分を吸着し、且つ、再生が可能な水分吸着素子を利用した回転型除湿装置を使用したデシカント空調と称される除湿システムが開発されてきている。係る除湿システムを使用すれば、店舗内の空気中の水分を回転する水分吸着素子の水分吸着領域において吸着し、この吸着した水分を水分放出領域にて放出させて排出することにより、店舗内空気の除湿を行ってショーケースの冷却器への着霜量を低減できる（例えば、特許文献１参照）。
【特許文献１】特開２００３ー２２７６７７号公報
【発明の開示】
【発明が解決しようとする課題】
【０００４】
しかしながら、従来の回転型除湿装置の水分吸着素子は、水分放出領域にて水分を放出させて再生するために＋９０℃〜＋１２０℃程度の高温に加熱する必要があり、そのため、従来ではガスバーナや電気ヒータを用いて水分吸着素子の再生を行っており、消費エネルギーが増大すると云う新たな問題が発生していた。また、前述したオープンショーケースの開口からは庫内冷却に供された冷気が店舗内に流出し易いため、訪れた顧客の足下にどうしても冷気が溜まり（これはコールドアイルと称される。）、店舗内空調を行っているにも拘わらず、顧客に不快感を与えてしまう問題もあり、係るコールドアイルの解消も望まれていた。
【０００５】
本発明は、係る従来の技術的課題を解決するために成されたものであり、省エネルギーに寄与しながら店舗内空気の除湿空調を行うことができる除湿空調システムを提供するものである。
【課題を解決するための手段】
【０００６】
本発明の除湿空調システムは、ショーケースが設置される店舗内の空気を除湿空調するものであって、低温再生型の除湿ロータから構成され、この除湿ロータを回転させることにより、処理領域において水分を吸着し、再生領域において当該吸着した水分を放出する回転式除湿装置と、ショーケースの冷媒回路の高圧側冷媒が流れる再生用凝縮器とを備え、店舗内の空気を回転式除湿装置の処理領域に通過させた後、店舗内に戻すと共に、再生用の空気を再生用凝縮器及び回転式除湿装置の再生領域に順次通過させて排出することを特徴とする。
【０００７】
請求項２の発明の除湿空調システムは、上記において回転式除湿装置の処理領域に通過させる店舗内の空気を冷却する冷却器を設けたことを特徴とする。
【０００８】
請求項３の発明の除湿空調システム、上記においてショーケースの冷媒回路によって冷却される氷蓄熱装置を備え、この氷蓄熱装置において冷却されたブラインによって冷媒回路の減圧装置に流入する高圧側冷媒を過冷却すると共に、前記ブラインを冷却器に供給することを特徴とする。
【０００９】
請求項４の発明の除湿空調システムは、上記において氷蓄熱装置の解氷能力が所定値以下に低下した場合、冷却器へのブラインの供給を停止することを特徴とする。
【００１０】
請求項５の発明の除湿空調システムは、上記各発明においてショーケースの冷媒回路の高圧側冷媒が流れる暖房用凝縮器と、この暖房用凝縮器への冷媒の流通を制御する流路制御装置とを備え、回転式除湿装置の処理領域を通過した後の空気は、暖房用凝縮器を通過した後、店舗内に戻ることを特徴とする。
【００１１】
請求項６の発明の除湿空調システムは、上記において流路制御装置は、冷媒を再生用凝縮器に流すか、暖房用凝縮器に流すかを切り替える三方弁であることを特徴とする。
【発明の効果】
【００１２】
本発明の除湿空調システムによれば、低温再生型の除湿ロータから構成され、この除湿ロータを回転させることにより、処理領域において水分を吸着し、再生領域において当該吸着した水分を放出する回転式除湿装置と、ショーケースの冷媒回路の高圧側冷媒が流れる再生用凝縮器とを備えており、店舗内の空気を回転式除湿装置の処理領域に通過させた後、店舗内に戻すので、店舗内の空気中の水分を回転式除湿装置の処理領域にて吸着し、店舗内の空気を除湿することができる。これにより、ショーケースの除霜運転を抑制して商品の鮮度維持能力を改善することができるようになる。
【００１３】
特に、回転式除湿装置を構成する除湿ロータを低温再生型とすると共に、ショーケースの冷媒回路の高圧側冷媒が流れる再生用凝縮器で再生用の空気を加熱し、回転式除湿装置の再生領域に通過させるようにしているので、ガスバーナや電気ヒータを用いた再生用の新たなエネルギー投入を行うこと無く、或いは、エネルギー投入量を大幅に削減しながら、ショーケースの庫内冷却用の冷媒回路からの廃熱を利用して回転式除湿装置の再生を行うことができるようになり、省エネルギーにも寄与することが可能となるものである。
【００１４】
また、請求項２の発明によれば、上記に加えて回転式除湿装置の処理領域に通過させる店舗内の空気を冷却する冷却器を設けたので、回転式除湿装置の処理領域に流入する店舗内空気の相対湿度を上昇させて除湿ロータによる水分吸着量を増大させることができるようになり、より効率的に店舗内空気を除湿することができるようになる。
【００１５】
また、請求項３の発明によれば、上記に加えてショーケースの冷媒回路によって冷却される氷蓄熱装置を備え、この氷蓄熱装置において冷却されたブラインによって冷媒回路の減圧装置に流入する高圧側冷媒を過冷却すると共に、前記ブラインを冷却器に供給するようにしているので、回転式除湿装置の処理領域に流入する空気を冷却するための格別な冷却ユニットを設置する必要が無くなり、更なる省エネ化を図ることができるようになる。
【００１６】
また、請求項４の発明によれば、上記に加えて氷蓄熱装置の解氷能力が所定値以下に低下した場合、冷却器へのブラインの供給を停止するようにしたので、ショーケースの冷媒回路の高圧側冷媒を過冷却すると云う氷蓄熱装置本来の機能を確保し、ショーケースの冷却能力を支障無く維持することができるようになる。
【００１７】
また、請求項５の発明によれば、上記各発明に加えてショーケースの冷媒回路の高圧側冷媒が流れる暖房用凝縮器と、この暖房用凝縮器への冷媒の流通を制御する流路制御装置とを備え、回転式除湿装置の処理領域を通過した後の空気を、暖房用凝縮器を通過させた後、店舗内に戻すようにしたので、ガスバーナや電気ヒータを用いた新たなエネルギー投入を行うこと無く、或いは、エネルギー投入量を大幅に削減しながら、必要に応じて暖房用凝縮器に高圧側冷媒を流し、回転式除湿装置を経て店舗内に戻される空気の温度を高く維持することができるようになる。これにより、省エネ化を行いつつ店舗内のコールドアイル解消も実現することが可能となる。
【００１８】
また、請求項６の発明によれば、上記に加えて流路制御装置は、冷媒を再生用凝縮器に流すか、暖房用凝縮器に流すかを切り替える三方弁としたので、三方弁が万一故障した場合にも、冷媒回路の高圧側冷媒は再生用又は暖房用の何れかの凝縮器に流れるようになるので、ショーケースの冷却能力に支障が生じることを防止することができるものである。
【発明を実施するための最良の形態】
【００１９】
以下、図面に基づき本発明の一実施形態を詳述する。図１は本発明の除湿空調システム１の構成図を示している。実施例の除湿空調システム１は、スーパーマーケットに設置されて店舗内の空気の除湿空調を行うものである。この図において、２はスーパーマーケットの店舗内に複数台設置される開放型のショーケース（オープンショーケース）であり、このショーケース２には店舗内に開口した庫内を冷却するための蒸発器３が取り付けられている。
【００２０】
この蒸発器３はショーケース２の庫内冷却用の冷凍機４と共に冷媒回路を構成する。即ち、冷凍機４は店舗外の機械室などに設置されており、前記冷媒回路を構成する圧縮機６と凝縮器７などを備えている。この冷凍機４の圧縮機６の冷媒吐出側には流路制御装置としての三方弁８の入口が接続され、この三方弁８の一方の出口には再生用凝縮器９が接続されると共に、他方の出口には暖房用凝縮器１１が接続されている。そして、これら再生用凝縮器９及び暖房用凝縮器１１の出口は合流した後、凝縮器７の入口に接続されている。
【００２１】
この凝縮器７の出口には過冷却用の熱交換器１２が接続され、この熱交換器１２の出口は減圧装置としての膨張弁１３の入口に接続されると共に、膨張弁１３の出口は前記蒸発器３の入口に接続されている。そして、この蒸発器３の出口が前記圧縮機６の冷媒吸込側に接続されてショーケース２の庫内冷却用の冷媒回路が構成されている。
【００２２】
また、図１において、１４は氷蓄熱装置である。この氷蓄熱装置１４は、氷蓄熱槽１６とブライン回路とから構成されている。氷蓄熱槽１６は凝縮器７を経た後に分流された冷媒が減圧されて供給される図示しない蓄熱槽冷却用の蒸発器によって冷却され、氷を生成して冷媒回路の冷熱を蓄えるものである。
【００２３】
一方、ブライン回路は、この氷蓄熱槽１６と熱交換する放熱側熱交換器１７と、前記過冷却用の熱交換器１２と熱交換する吸熱側熱交換器１８と、ブラインポンプ１９と、プレクーラ２１（冷却器）と三方弁２２などから構成されている。そして、ブラインポンプ１９のブライン吐出側に吸熱側熱交換器１８が接続され、吸熱側熱交換器１８の出口に放熱側熱交換器１７が接続されると共に、この放熱側熱交換器１７の出口がブラインポンプ１９のブライン吸込側に接続されている。また、ブラインポンプ１９のブライン吐出側は分岐し、三方弁２２の入口に接続されると共に、三方弁２２の一方の出口にプレクーラ２１の入口が接続されている。このプレクーラ２１の出口は放熱側熱交換器１７の入口に接続されると共に、三方弁２２の他方の出口はプレクーラ２１の出口側に接続されている。
【００２４】
次に、図１において、２３は本発明の除湿空調システム１の主要部を構成するデシカント空調機である。このデシカント空調機２３は、除湿ロータ２６とこの除湿ロータ２６を回転駆動するためのモータ２７などから構成された回転式除湿装置２４と、除湿ロータ２６の処理領域に店舗内の空気に一部外気を混ぜて通過させた後、店舗内に戻すための処理ファン（送風機）２８と、外部から再生用の空気を吸引して除湿ロータ２６の再生領域に通過させた後、外部に排出するための再生ファン（送風機）２９と、前記再生用凝縮器９、暖房用凝縮器１１及びプレクーラ２１などから構成される。
【００２５】
そして、プレクーラ２１は処理ファン２８にて生成される空気の流れに対して除湿ロータ２６の処理領域の上流側に配置されると共に、暖房用凝縮器１１は処理ファン２８にて生成される空気の流れに対して除湿ロータ２６の処理領域の下流側に配置されている。これにより、処理ファン２８が運転されると、店舗内の空気はプレクーラ２１を通過した後、除湿ロータ２６の処理領域を通過し、次に、暖房用凝縮器１１を通過してショーケース３の下部から店舗内に戻される。
【００２６】
また、再生用凝縮器９は、再生ファン２９にて生成される空気の流れに対して除湿ロータ２６の再生領域の上流側に配置されている。これにより、再生ファン２９が運転されると、外部から吸引された再生用の空気は、再生用凝縮器９を通過した後、除湿ロータ２６の再生領域を通過し、その後外部に排出されることになる。
【００２７】
ここで、前記除湿ロータ２６は例えばアクリル系高分子吸着剤、又は、ＥＴＳ（Ｅｎｇｅｌｈａｒｄ  Ｔｉｔａｎｉｕｍ  Ｓｉｌｉｃａｔｅ）などの低温再生型の円盤状水分吸着素子から構成されており、高い水分吸着（収着）能力を有すると共に、＋５０℃〜＋７０℃程の比較的低温度にて水分を脱着可能とされている。この除湿ロータ２６はモータ２７にて所定の速度で回転され、処理領域にあった部分が再生領域に移動され、そして、再生領域からまた処理領域へと循環して移動される構成とされている。
【００２８】
以上の構成で本発明の除湿空調システム１の動作を説明する。
（１）夏期の運転
先ず、夏期の運転について説明する。図２は夏期における冷媒とブラインの流れを示している。この場合、図示しないコントローラは、圧縮機６を運転すると共に、三方弁８は冷媒が再生用凝縮器９に流れるように流路を切り替える。圧縮機６が運転されると、高温・高圧のガス冷媒が三方弁８を経て再生用凝縮器９に流入し、この再生用凝縮器９内を流れた後、凝縮器７に入る。この凝縮器７で冷媒は放熱して液化した後、熱交換器１２に入る。この熱交換器１２では後述する如くブライン回路の吸熱側熱交換器１８によって冷媒が過冷却され、次に、膨張弁１３に流入して減圧される。この膨張弁１３で絞られた冷媒は蒸発器３に入り、そこで蒸発することで吸熱作用を発揮する。この蒸発器３の吸熱作用で冷却された冷気がショーケース２の庫内に循環されて庫内の商品を冷却する。尚、蒸発器３を出た冷媒は再び圧縮機６に吸い込まれる。
【００２９】
一方、店舗の閉店時間中、コントローラは凝縮器７を出た冷媒の一部を前述した図示しない分岐回路に流す。この分流冷媒は前述の如く減圧された後、蓄熱槽冷却用の蒸発器で蒸発して冷却作用を発揮する。これによって、閉店中に氷蓄熱装置１４の氷蓄熱槽１６内の水を冷却して氷を生成する。尚、この蓄熱槽冷却用の蒸発器を出た冷媒は圧縮機６に吸引される。
【００３０】
そして、コントローラは店舗の開店前の所定時刻（例えば、２時間前）から閉店後の所定時刻（例えば、１時間後）までブラインポンプ１９を運転する。この場合三方弁２２はプレクーラ２１に冷媒を流すように切り替えられる。ブラインポンプ１９が運転されると、氷蓄熱槽１６にて生成された氷に放熱して冷却された放熱側熱交換器１７内の低温のブラインがブラインポンプ１９に吸引され、吸熱側熱交換器１８に吐出される。この吸熱側熱交換器１８に流入した低温のブラインは、熱交換器１２を流れる冷媒から吸熱してこれを過冷却した後、放熱側熱交換器１７に戻る循環を繰り返す。
【００３１】
また、ブラインポンプ１９から吐出された低温のブラインの一部は三方弁２２に分流し、三方弁２２を経てプレクーラ２１に流入する。そこで、冷却作用を発揮した後、放熱側熱交換器１７に戻る循環を繰り返す。
【００３２】
そして、コントローラは店舗の開店前の所定時刻（例えば、１時間前）からデシカント空調機２３の運転を開始する。即ち、コントローラはモータ２７を駆動して回転式除湿装置２４の除湿ロータ２６を回転させると共に、処理ファン２８と再生ファン２９を運転する。処理ファン２８が運転されると、店舗内天井部の空気と一部外気がデシカント空調機２３内に吸引され、プレクーラ２１を通過した後、除湿ロータ２６の処理領域に流通される。店舗内の空気はプレクーラ２１を通過する過程でそこを流れる低温のブラインによって冷却され、相対湿度が上昇した状態で除湿ロータ２６の処理領域に流入する。
【００３３】
このように相対湿度を上昇させた後、除湿ロータ２６の処理領域に流入することで、店舗内の空気中の水分は効率的に除湿ロータ２６に吸着される。この除湿ロータ２６にて水分が吸着され、除湿された後の空気は、次に暖房用凝縮器１１を経てショーケース２の下部から店舗内に戻される。このとき、暖房用凝縮器１１には冷媒は流れていないが、夏期でもあり、また、除湿ロータ２６における吸着熱で空気の温度は上がっているので、ショーケース２下部のコールドアイルの解消も図られる。また、一部外気も導入しているので、店舗内は陽圧となり、出入口などからの外気侵入が抑制されると共に、換気も行われる。
【００３４】
一方、店舗内の空気から水分を吸着した除湿ロータ２６の部分は回転して次に再生領域に移動する。この再生領域には再生ファン２９の運転により、再生用凝縮器９を流れる高温の高圧側冷媒によって＋５０℃〜＋７０℃に加熱された再生用の空気が通過する。ここで、除湿ロータ２６は前述の如く低温再生型の水分吸着素子から構成されているので、係る温度（＋５０℃〜＋７０℃）によっても除湿ロータ２６の吸着水分は通風空気に脱着される。尚、この再生用の空気は外部に排出される。
【００３５】
このような水分吸着と再生を繰り返して除湿ロータ２６により店舗内の空気は除湿されていく。店舗内の空気が除湿されることで、ショーケース２の蒸発器３への着霜量が減少するので、除霜運転も短くて済むようになり、商品の鮮度維持に与える悪影響も減少することになる。
【００３６】
特に、回転式除湿装置２４を構成する除湿ロータ２６を低温再生型とすると共に、ショーケース２の冷媒回路の高圧側冷媒が流れる再生用凝縮器９で再生用の空気を加熱し、除湿ロータ２６の再生領域に通過させるようにしたので、ガスバーナや電気ヒータを用いた再生用の新たなエネルギー投入を行うこと無く、ショーケース２の庫内冷却用の冷媒回路からの廃熱を利用して除湿ロータ２６の再生を行うことができるようになり、省エネルギーに寄与できるようになる。
【００３７】
また、プレクーラ２１を氷蓄熱装置１４のブラインで冷却するようにしているので、除湿ロータ２６の処理領域に流入する空気を冷却するための格別な冷却ユニットを設置する必要が無くなり、これによっても省エネ化を図ることができる。
【００３８】
尚、氷蓄熱装置１４のブラインの循環によって氷蓄熱槽１６内の解氷能力が例えば４０％まで低下した場合、コントローラは三方弁２２の流路をプレクーラ２１の出口側に切り替える。これにより、プレクーラ２１にブラインは流れなくなるので、店舗内空気の冷却は無くなるが、冷媒の過冷却は行われるので、ショーケース２の庫内冷却には支障は生じない。
【００３９】
（２）冬期の運転
次に、冬期の運転について説明する。図３に冬期の冷媒とブラインの流れを示す。この場合、コントローラは三方弁８を切り替え、圧縮機６から吐出された冷媒が暖房用凝縮器１１に流れるようにする。これにより、圧縮機６が運転されると、高温・高圧のガス冷媒が三方弁８を経て暖房用凝縮器１１に流入し、この暖房用凝縮器１１内を流れた後、凝縮器７に入ることになる。その後の冷媒の流れは前述した説明と同様である。即ち、冬期の運転では高圧側冷媒は再生用凝縮器９に流れなくなる。
【００４０】
一方、コントローラは三方弁２２を切り替えて常にプレクーラ２１の出口側にブラインを流す。これにより、プレクーラ２１にはブラインは供給されなくなる。尚、蓄熱槽冷却用の蒸発器への冷媒供給及びブラインポンプ１９の動作は前述と同様である。また、コントローラはモータ２７及び再生ファン２９を停止する。
【００４１】
そして、コントローラはこの場合も店舗の開店前の所定時刻からデシカント空調機２３の運転を開始する。即ち、コントローラは処理ファン２８を運転する。処理ファン２８が運転されると、店舗内天井部の空気と一部外気がデシカント空調機２３内に吸引され、プレクーラ２１を通過した後、除湿ロータ２６の処理領域に流通される。店舗内の空気はプレクーラ２１を通過するものの、そこにはブラインは供給されていないので、そのまま通過して除湿ロータ２６の処理領域に流入する。
【００４２】
このとき、除湿ロータ２６のモータ２７は停止しており、また、再生ファン２９も停止し、再生用凝縮器９にも高圧側冷媒は流れていないので、回転式除湿装置２４はその機能を停止している。従って、除湿ロータ２６の処理領域に入った空気はそのまま通過して暖房用凝縮器１１に入る。暖房用凝縮器１１には前述の如く高圧側冷媒が流れているので、空気はここで暖められた後、ショーケース２の下部から店舗内に戻される。これによって、冬期におけるショーケース２下部のコールドアイルの解消が図られることになる。
【００４３】
また、前述した如く冬期には回転式除湿装置２４は停止しているので、店舗内の除湿は行われないが、冬期は空気も乾燥しているので支障はない。このように、冬期にはショーケース２の冷媒回路の高圧側冷媒を暖房用凝縮器１１に流し、除湿ロータ２６の処理領域を通過した後の空気を、暖房用凝縮器１１を通過させた後、店舗内に戻すので、ガスバーナや電気ヒータを用いた新たなエネルギー投入を行うこと無く、除湿ロータ２６を経て店舗内に戻される空気の温度を高く維持することができ、省エネ化を行いつつ店舗内のコールドアイル解消を実現できるようになる。
【００４４】
また、前述した夏期と冬期において、高圧側冷媒を再生用凝縮器９に流すか、暖房用凝縮器１１に流すかを三方弁８で切り替えているので、この三方弁８が万一故障した場合にも、冷媒回路の高圧側冷媒は再生用又は暖房用の何れかの凝縮器に流れるようになり、ショーケース２の冷却能力に支障が生じることを防止することができるようになる。
【００４５】
（３）夏期、冬期以外の中間期（梅雨期含む）の動作
尚、上記夏期、冬期以外の中間期（梅雨期を含む）については、図４に示す如く冷媒回路の流れ（蓄熱槽冷却用の蒸発器への冷媒供給を含む）、及び、回転式除湿装置２４、再生ファン２９及び処理ファン２８の動作を夏期と同様である。即ち、店舗内の空気の除湿を行うが、氷蓄熱装置１４のブラインの流れについては、常に三方弁２２によってブラインがプレクーラ２１の出口側に流れるように切り替える。
【００４６】
即ち、中間期にはプレクーラ２１にブラインを流すと、除湿ロータ２６の処理領域に流入する店舗内の空気の温度が下がりすぎるので、プレクーラ２１による冷却は停止するものである。
【００４７】
尚、上記実施例で示した時刻などはそれに限られず、店舗の運営状況や機器の容量・機能に応じて適宜設定するとよい。また、夏期や中間期において再生用の熱量が再生用凝縮器９では不足する場合には、別途熱源（ガスバーナや電気ヒータ）を設けても良い。また、冬期において暖房用凝縮器１１では暖房用の熱量が不足する場合にも、別途電気ヒータなどを用いて店舗内に戻される空気を加熱してもよい。何れの場合にも、本発明によれば従来用いられていたガスバーナや電気ヒータに比較して、新たに投入されるエネルギーを大幅に削減でき、省エネ化に寄与することができる。
【図面の簡単な説明】
【００４８】
【図１】本発明の除湿空調システムの構成図である。
【図２】図１の除湿空調システムの夏期における冷媒及びブラインの流れを示す図である。
【図３】図１の除湿空調システムの冬期における冷媒及びブラインの流れを示す図である。
【図４】図１の除湿空調システムの中間期における冷媒及びブラインの流れを示す図である。
【符号の説明】
【００４９】
１  除湿空調システム
２  ショーケース
３  蒸発器
４  冷凍機
６  圧縮機
７  凝縮器
８、２２  三方弁
９  再生用凝縮器
１１  暖房用凝縮器
１２  熱交換器
１３  膨張弁（減圧装置）
１４  氷蓄熱装置
１６  氷蓄熱槽
１９  ブラインポンプ
２１  プレクーラ
２３  デシカント空調機
２４  回転式除湿装置
２６  除湿ロータ
２８  処理ファン
２９  再生ファン
【図１】
2005233528.tif 000003
【図２】
2005233528.tif 000004
【図３】
2005233528.tif 000005
【図４】
2005233528.tif 000006